(57)【要約】      （修正有）【課題】地上波ワイヤレス信号を使用して、ユーザのロケーションについてそのユーザに警告する。【解決手段】地上波基地局からの一意の識別信号に応答して、所定のロケーションに対するユーザの位置についてそのユーザに警告するための方法、ならびに所望のルートに沿って配置された１つまたは複数の地上波基地局からの１つまたは複数の一意の識別信号に基づくナビゲーション方法を含む。また、ユーザのロケーションについてそのユーザに警告することと、１つまたは複数の地上波基地局に対するモバイル端末の位置に応答して、選択されたルートを通してユーザをナビゲートするのを助けることとを行うように適応されたモバイル端末、たとえば、携帯電話を開示する。【選択図】図１
2013253984.tif 000002
【特許請求の範囲】
【請求項１】
選択されたロケーションにおいてユーザの存在について前記ユーザに警告するための方法であって、
モバイル端末において所定のロケーションの選択を受信するステップと、
前記モバイル端末において、一意のロケーション識別子を備える基地局からの信号を受信するステップと、
前記一意のロケーション識別子を備える前記基地局からの前記信号の後続の受信についてユーザに警告するステップと
を備える方法。
【請求項２】
所定のロケーションの前記選択がユーザ入力に応答して行われる、請求項１に記載の方法。
【請求項３】
所定のロケーションの前記選択が、起点と終点とを備えるトリップ機能を備え、さらに、前記所定のロケーションが起点または終点のうちの一方を備える、請求項１に記載の方法。
【請求項４】
前記起点が、前記基地局と第２の基地局とのうちの一方に関連付けられ、前記終点が、前記基地局と前記第２の基地局とのうちの他方に関連付けられる、請求項３に記載の方法。
【請求項５】
前記ユーザに警告する前記ステップが、前記モバイル端末に聴覚アラームを実行させること、前記モバイル端末に視覚アラームを実行させること、または前記モバイル端末に触覚アラームを実行させることのうちの１つを備える、請求項１に記載の方法。
【請求項６】
選択されたロケーションにおいてユーザの存在について前記ユーザに警告するための装置であって、
モバイル端末において所定のロケーションの選択を受信するための手段と、
前記モバイル端末において、一意のロケーション識別子を備える基地局からの信号を受信するための手段と、
前記一意のロケーション識別子を備える前記基地局からの前記信号の後続の受信についてユーザに警告するための手段と
を備える装置。
【請求項７】
所定のロケーションの前記選択がユーザ入力に応答して行われる、請求項６に記載の装置。
【請求項８】
所定のロケーションの前記選択が、起点と終点とを備えるトリップ機能を備え、さらに、前記所定のロケーションが起点または終点のうちの一方を備える、請求項６に記載の装置。
【請求項９】
前記起点が、前記基地局と第２の基地局とのうちの一方に関連付けられ、前記終点が、前記基地局と前記第２の基地局とのうちの他方に関連付けられる、請求項８に記載の装置。
【請求項１０】
前記ユーザに警告するための前記手段が、聴覚アラーム、視覚アラームまたは触覚アラームのうちの１つを備える、請求項６に記載の装置。
【請求項１１】
選択されたロケーションにおいてユーザの存在について前記ユーザに警告するためのモバイル端末であって、
前記ユーザが所定のロケーションを選択することを可能にするように適応されたユーザインターフェースと、
一意のロケーション識別子を備える基地局からのワイヤレス信号を受信するように適応されたアンテナと、
前記ユーザインターフェースと前記アンテナとに接続された処理ユニットであって、前記基地局からの前記ワイヤレス信号中の前記一意のロケーション識別子を前記所定のロケーションに関連付けることと、前記一意のロケーション識別子を備える前記基地局からの前記ワイヤレス信号の後続の受信に応答してユーザに警告することとを行うように構成された処理ユニットと
を備えるモバイル端末。
【請求項１２】
前記ユーザインターフェースが、触覚入力インターフェースまたは音声作動インターフェースのうちの一方を備える、請求項１１に記載のモバイル端末。
【請求項１３】
前記処理ユニットに接続された警告システムであって、振動アラーム、オーディオアラームまたは視覚アラームによってユーザに警告するように適応された警告システムをさらに備える、請求項１１に記載のモバイル端末。
【請求項１４】
選択されたロケーションにおけるユーザの存在についての前記ユーザへの警告を実装するようにハードウェアコンピュータ実行可能である命令で符号化されたコンピュータ可読媒体であって、前記命令が、
処理ユニットに所定のロケーションの選択を受信させるためのコードと、
前記処理ユニットに、一意のロケーション識別子を備える基地局からのワイヤレス信号を受信させるためのコードと、
前記処理ユニットに、前記基地局からの前記ワイヤレス信号中の前記一意のロケーション識別子を前記所定のロケーションに関連付けることと、前記一意のロケーション識別子を備える前記基地局からの前記ワイヤレス信号の後続の受信に応答してユーザに警告することとを行わせるためのコードと
を備える、コンピュータ可読媒体。
【請求項１５】
前記処理ユニットに、ユーザ入力に応答して前記所定のロケーションを選択させるためのコードをさらに備える、請求項１４に記載のコンピュータ可読媒体。
【請求項１６】
前記処理ユニットに所定のロケーションの選択を受信させるための前記コードが、起点と終点とを備えるトリップ機能を備え、さらに、前記所定のロケーションが起点または終点のうちの一方を備える、請求項１４に記載のコンピュータ可読媒体。
【請求項１７】
前記起点が、前記基地局と第２の基地局とのうちの一方に関連付けられ、前記終点が、前記基地局と前記第２の基地局とのうちの他方に関連付けられる、請求項１６に記載のコンピュータ可読媒体。
【請求項１８】
前記処理ユニットに、聴覚アラーム、視覚アラーム、または触覚アラームを作動させるためのコードをさらに備える、請求項１４に記載のコンピュータ可読媒体。
【請求項１９】
モバイル端末を使用したユーザナビゲーションの方法であって、
モバイル端末において、第１の所定のロケーションと第２の所定のロケーションとを備えるナビゲーション要求を開始するステップと、
前記モバイル端末において、前記第１の所定のロケーションに関連付けられた第１の一意のロケーション識別子を備える第１の基地局からの第１の信号を受信するステップと、
前記モバイル端末において、前記第２の所定のロケーションに関連付けられた第２の一意のロケーション識別子を備える第２の基地局からの第２の信号を受信するステップと、
前記モバイル端末における、前記第１または第２の一意のロケーション識別子のうちの一方の受信に応答して、前記第１または第２の所定のロケーションのうちの一方における前記モバイル端末の前記存在についてユーザに警告するステップと
を備える方法。
【請求項２０】
前記モバイル端末において、第３の所定のロケーションに関連付けられた第３の一意のロケーション識別子を備える第３の基地局からの第３の信号を受信するステップをさらに備える、請求項１９に記載の方法。
【請求項２１】
前記第３の所定のロケーションが、前記ユーザによって選択されたルートに沿っている、請求項２０に記載の方法。
【請求項２２】
前記第３の所定のロケーションが、前記第１の所定のロケーションと前記第２の所定のロケーションとの間に配設される、請求項２１に記載の方法。
【請求項２３】
前記モバイル端末における、前記第３の一意のロケーション識別子の受信に応答して、前記第３の所定のロケーションにおける前記モバイル端末の前記存在についてユーザに警告するステップをさらに備える、請求項２２に記載の方法。
【発明の詳細な説明】
【技術分野】
【０００１】
今回請求する本発明は、一般にワイヤレス通信の分野に関し、より詳細には、モバイル端末において受信可能な地上波ワイヤレス信号を使用したナビゲーションの分野に関する。
【背景技術】
【０００２】
仕事に関係するライフスタイルと通信との最近の傾向、ならびに都市圏の常に増大する大きさにより、電車、バス、カープール、ならびに他の形態の単一および／または大量交通機関によって移動する通勤者の数が極めて大きく増加している。一部の旅行者または通勤者は、ウェイファインディング（wayfinding）および／またはナビゲーションのためのパーソナルナビゲーションデバイスを使用し得る。典型的なパーソナルナビゲーションデバイスは、固定軌道を有する測位衛星からの１つまたは複数の信号を三角測量することによって、その位置を判断する。例示的な衛星測位システムには、ＧＰＳコンスタレーション、ＧａｌｉｌｅｏコンスタレーションおよびＧＬＯＮＡＳＳコンスタレーションがある。
【０００３】
衛星ベースのナビゲーションシステムは、高度に正確であり得るが、それらのパフォーマンスをたいていのユーザにとって利用不可能にする、それらの欠点も有する。最初に、ハンドヘルド測位システムは、一般に、携帯電話など、他のハンドヘルドデバイスよりもはるかに費用がかかる。また、衛星測位ソフトウェアおよびファームウェアが複雑であるとすれば、ハンドヘルド測位システムのパッケージングは容易でなく、このことは、各デバイスがかさばり、測位以外のその機能がかなり制限されることを意味する。最後に、上記のように、ハンドヘルド測位システムは、１つまたは複数の軌道衛星からの測位信号の正確な受信および測定に依拠する。したがって、典型的なハンドヘルド測位デバイスは（１つまたは複数の）衛星から適切な信号を受信しないので、気象条件および見通し線問題によりデバイスのパフォーマンスが妨害され得る。比較として、世界の人口のかなりの部分は、好適な通信方法として携帯電話を採用している。しかしながら、たいていの携帯電話は、上述の制限により衛星測位機能を有しない。とはいえ、そのコストおよび複雑さを比較的低く保ちながら、ハンドヘルド測位デバイスの機能と携帯電話の機能とを組み合わせるシステム、方法および／または装置が当技術分野において必要である。
【発明の概要】
【０００４】
したがって、本開示は、今回請求する本発明の複数の例示的な態様、特徴および利点についての詳細な説明を含む。一態様では、今回請求する本発明は、選択されたロケーション、たとえば、通勤電車の駅においてユーザの存在についてそのユーザに警告するための方法を含む。以下で説明するように、例示的な方法は、モバイル端末において所定のロケーションの選択を受信するステップを含むことができる。例示的な方法はまた、モバイル端末において、一意のロケーション識別子を有する基地局からの信号を受信するステップを含むことができ、そのステップは、地理的ロケーションを基地局に一意に関連付けるように機能し、基地局は、特定の信号を用いて所定のロケーションを一意に識別する。別のステップは、一意のロケーション識別子を有する基地局からの信号の、第２の後続の受信または再受信についてユーザに警告することを含むことができる。すなわち、ユーザのモバイル端末は、関連付けられた基地局からの一意のロケーション識別子に応答して、もしユーザが所定のロケーションまたはその近くにいる場合、そのユーザに警告する。そうする際に、モバイル端末は、ユーザのロケーションについてそのユーザにプロンプトを出すことによって、部分的にパーソナルナビゲーションデバイスとして機能する。
【０００５】
今回請求する本発明の別の態様は、モバイル端末を使用したユーザナビゲーションの方法を含む。例示的な方法は、モバイル端末において、第１の所定のロケーションと第２の所定のロケーションとを含むナビゲーション要求を開始するステップを含む。以下で詳細に説明するように、モバイル端末は、前の所定のロケーションを記憶することと、それらのロケーションを一意に識別された基地局に関連付けることとを行うように構成され得る。したがって、モバイル端末は、ユーザが起点と終点とを選定し得るロケーションの履歴を有することができる。例示的な方法は、モバイル端末において、第１の所定のロケーションに関連付けられた第１の一意のロケーション識別子を有する第１の基地局からの第１の信号を受信するステップと、モバイル端末において、第２の所定のロケーションに関連付けられた第２の一意のロケーション識別子を有する第２の基地局からの第２の信号を受信するステップとをさらに含むことができる。例示的な方法は、モバイル端末における、第１または第２の一意のロケーション識別子のうちの一方の受信に応答して、第１または第２の所定のロケーションのうちの一方におけるモバイル端末の存在についてユーザに警告するステップをさらに含むことができる。
【０００６】
本明細書で説明する例示的な方法に加えて、本出願は、ロケーション判断とナビゲーションとにおいてユーザを支援するためのこれらおよび他の方法を実行するように適応された装置、システムおよびコンピュータ可読媒体を開示する。本明細書で開示する例示的な方法、システムおよび装置が、少なくともウェイファインディングと、通勤と、旅行と、ナビゲーションとを含む多数の適用例において使用するために容易にスケーラブルであることは、当業者には明らかであろう。衛星ベースの測位デバイスとは異なり、本出願の教示は、携帯電話など、よりコスト効果的で機能的なモバイル端末に適用可能である。他の特徴および利点について、以下の図を参照しながら、以下で詳細に説明する。
【図面の簡単な説明】
【０００７】
【図１】今回請求する本発明の一態様によるモバイル端末の動作環境の概略図。
【図２】今回請求する本発明の一態様によるモバイル端末の概略図。
【図３】今回請求する本発明の別の態様によるモバイル端末のユーザインターフェースの概略図。
【図４】今回請求する本発明の一態様による、ロケーションについてユーザに警告する方法を示すフローチャート。
【図５】今回請求する本発明の別の態様によるパーソナルナビゲーションのための方法を示すフローチャート。
【発明を実施するための形態】
【０００８】
今回請求する本発明について、添付の図を参照しながら、その選択された好適な特徴および態様に関して本明細書で説明する。上記の説明は本質的に例示的なものにすぎず、今回請求する本発明の範囲は以下の特許請求の範囲によって定義されることが、通信分野の当業者には理解されよう。
【０００９】
図１に、それらのすべてについて本明細書でより詳細に説明する、今回請求する本発明のシステム、装置および方法の様々な態様のための好適な動作環境１００を概略的に示す。例示的な動作環境１００は、それぞれがワイヤレス通信ネットワークにおいて１つまたは複数のモバイル端末１０と通信していることがあり得る、複数の基地局１０２、１０４、１０６、１０８、１１０、および１１２を含む。本明細書で使用するモバイル端末１０は、セルラーまたは他のワイヤレス通信デバイス、パーソナル通信システム（ＰＣＳ）デバイス、パーソナルナビゲーションデバイス、個人情報マネージャ（ＰＩＭ）、携帯情報端末（ＰＤＡ）、ラップトップ、あるいはワイヤレス通信を受信することが可能な他の適切なモバイルデバイスなどのデバイスを指す。また、「モバイル端末」は、インターネット、ＷｉＦｉ、または他のネットワークなどを介してサーバとの通信が可能で、信号受信、データ処理およびストレージ、ならびに／あるいは他の機能が当該デバイスで行われるか、サーバで行われるか、またはネットワークに関連する別のデバイスで行われるかにかかわらず、ワイヤレス通信デバイス、コンピュータ、ラップトップなどを含むすべてのデバイスを含むものとする。上記の任意の動作可能な組合せも本出願のためのモバイル端末と見なされる。
【００１０】
動作環境１００はまた、１つまたは複数の通信および／または測位衛星（図示せず）、ならびに公衆交換電話網（ＰＳＴＮ）（図示せず）を含むことができる。典型的なワイヤレス通信システムでは、基地局１０２、１０４、１０６、１０８、１１０、および１１２は、順方向リンク上でモバイル端末１０から通信を受信し、逆方向リンク上でモバイル端末１０に通信を送信するように機能する。各基地局１０２、１０４、１０６、１０８、１１０、および１１２は一般にセル内またはワイヤレスネットワークの部分内で動作し、モバイル端末１０がセル間で移動するにつれて、基地局１０２、１０４、１０６、１０８、１１０、および１１２間でのハンドオフによって通信が維持される。各基地局１０２、１０４、１０６、１０８、１１０、および１１２は一意に識別可能であり、したがって、基地局１０２、１０４、１０６、１０８、１１０、および１１２間での一連のハンドオフを観測することからモバイル端末１０の概略的な経路が導出され得る。本明細書で使用する基地局という用語は、モバイル端末間でワイヤレス通信をルーティングするための地上波ワイヤレス通信ゲートウェイを指す。典型的な基地局は、衛星および地上波ワイヤレス通信のために適応され得るが、各基地局は、１つまたは複数のモバイル端末に送信される地上波信号によって一意に識別され得る。
【００１１】
図１に示すように、複数の基地局１０２、１０４、１０６、１０８、１１０、および１１２は、一連の所定のロケーション１２０、１２２、１２４、１２６、１２８、および１３０の各々が、地理的に対応する基地局１０２、１０４、１０６、１０８、１１０、および１１２を一意に識別する（１つまたは複数の）信号に関連付けられ得るように、一連の所定のロケーション１２０、１２２、１２４、１２６、１２８、および１３０においてまたはその近くで構成され得る。この例では、ロケーションをリンクする線は電車の線路である。図示のように、所定のロケーション１２０は基地局１０２のセルまたは領域内にあり、所定のロケーション１２２は基地局１０４のセルまたは領域内にあり、以下同様である。例示的な動作環境１００では、所定のロケーション１２０、１２２、１２４、１２６、１２８、および１３０の各々は、通勤電車線路上の停留所、バスまたは他の車両が通過する道路網上の交差点、ジャンクション、乗換駅、住宅、仕事場、トリップ起点、トリップ終点など、個別の地理的有意性を有することができる。
【００１２】
本明細書で説明する技法は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）などの様々なワイヤレス通信ネットワークに使用され得る。「ネットワーク」および「システム」という用語は、しばしば互換的に使用される。ＷＷＡＮは、符号分割多元接続（ＣＤＭＡ）ネットワーク、時間分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワーク、Ｌｏｎｇ  Ｔｅｒｍ  Ｅｖｏｌｕｔｉｏｎ（ＬＴＥ）ネットワークなどであり得る。ＣＤＭＡネットワークは、ＣＤＭＡ２０００、広帯域ＣＤＭＡ（Ｗ−ＣＤＭＡ）などの１つまたは複数の無線アクセス技術（ＲＡＴ）を実装し得る。ＣＤＭＡ２０００は、ＩＳ−９５、ＩＳ−２０００、およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）、または何らかの他のＲＡＴを実装し得る。ＧＳＭおよびＷ−ＣＤＭＡは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の組織からの文書に記載されている。３ＧＰＰおよび３ＧＰＰ２の文書は公的に入手可能である。ＷＬＡＮは、ＩＥＥＥ８０２．１１ｘネットワークであり得、ＷＰＡＮは、Bluetooth（登録商標）ネットワーク、ＩＥＥＥ８０２．１５ｘネットワーク、または他の何らかのタイプのネットワークであり得る。本技法はまた、ＷＷＡＮ、ＷＬＡＮ、および／またはＷＰＡＮの任意の組合せのために使用され得る。
【００１３】
今回請求する本発明の一態様は、選択されたロケーション、たとえば、通勤電車の駅においてユーザの存在についてそのユーザに警告するための方法を含む。図４に示すように、例示的な方法はステップＳ１０２を含むことができ、ステップＳ１０２は、モバイル端末において所定のロケーションの選択を受信することを含む。例示的な方法のステップＳ１０４は、モバイル端末において、一意のロケーション識別子を備える基地局からの信号を受信することを含む。そのような信号は、ＧＳＭのためのロケーションエリア識別子（ＬＡＩ）／セル識別情報／基地局識別情報コード、またはＣＤＭＡのための基地局識別情報／基地局経度／基地局緯度を含み得、地理的ロケーションを基地局に一意に関連付け得る。モバイル端末は、基地局からの信号の信号強度を記憶することができる。ステップＳ１０４は、地理的ロケーションを基地局に一意に関連付けるように機能することができ、基地局は、特定の信号を用いて所定のロケーションを一意に識別する。たとえば、所定のロケーション（たとえば、ユーザのホーム駅）において信号を受信すると、図２のモバイル端末１０の処理ユニットは、信号を処理し、信号を送信している基地局のロケーションエリア識別子（ＬＡＩ）／セル識別情報／基地局識別情報コードを所定のロケーションに関連付けることができる。この関連付けは、データ構造中に記憶され、基地局からの第２の後続の信号を識別するために使用され得、ユーザ入力に応答して行われ得る。ステップＳ１０６は、一意のロケーション識別子を備える基地局からの信号の、第２の後続の受信または再受信についてユーザに警告することを含む。たとえば、モバイル端末は、基地局からの信号の強度が前に説明した記憶された信号強度に達したとき、ユーザに警告することができる。一例として、ユーザは、そのユーザの仕事場の近くの駅を所定のロケーションとして選択し得る。例示的な方法のステップＳ１０２およびステップＳ１０４が完了すると、ユーザのモバイル端末は、関連付けられた基地局からの一意のロケーション識別子に応答して、もしユーザが仕事場またはその近くにいる場合、そのユーザに警告する。そうすると、さもなければ疲れているかまたは気が散っているユーザは、そのユーザの停留所、乗換駅、方向転換、または他のナビゲート可能なイベントを逃す可能性が低くなる。
【００１４】
図４に示す例示的な方法の一変形体では、所定のロケーションの選択はユーザ入力に応答して行われる。ユーザ入力は、モバイル端末への所定のロケーションの手動入力、あるいは音声作動、補助パーソナルコンピュータからのダウンロード、パーソナル測位デバイスまたはナビゲーションシステムなど、何らかの他の方法によるユーザ入力を含むことができる。代替的に、所定のロケーションの選択は、モバイル端末上で実行されるトリップ機能の開始を含むことができる。好適なトリップ機能は、所定のロケーションが起点または終点のうちの一方を備えるように、起点と終点とを含むことができる。すなわち、例示的な方法が、起点および／または終点に関連付けられた基地局においてまたはその近くでユーザの物理的存在についてそのユーザに警告するように機能するように、ユーザは、一定の起点（すなわち、ホーム駅）と終点（すなわち、オフィス駅）とを有する共通のトリップを選択することができる。各起点および終点は別個の基地局に関連付けられ得、基地局のそれぞれは、そのシグナリングによって一意に識別可能である。
【００１５】
例示的な方法の別の代替態様では、所定のロケーションの選択は、ユーザによって選択された所定のルートまたは経路に従って確立され得、所定のロケーションは、選択されたルートに地理的にまたは別様に関連付けられ、たとえば、起点および終点に加えて、電車乗換駅、バス停留所、ドライビング交差点などの中間地点を含むことができる。
【００１６】
例示的な方法の別の変形体では、ユーザに警告するステップは、様々な警告手段および機構を含むことができる。たとえば、例示的な方法は、モバイル端末に、スピーカーまたはヘッドフォンによる聴覚アラームを実行させるか、モバイル端末に、明滅ライト、点滅スクリーンまたは他の可視インジケータによる視覚アラームを実行させるか、あるいはモバイル端末に、振動することなどの触覚アラームを実行させることによって、ユーザに警告することができる。その目的で、上記の機能のうちの１つまたは複数のために、スピーカーと、ヘッドフォンジャックと、ＬＥＤまたは他の点滅可能なライトと、ディスプレイまたはスクリーンと、振動またはサイレントアラーム機構とのうちの１つまたは複数を有するモバイル端末１０が構成され得る。
【００１７】
図２および図３に示すように、例示的なモバイル端末１０は、モバイルワイヤレス通信にすべて適応された、処理ユニットと、メモリと、通信回路と、ハードウェアと、ファームウェアと、ソフトウェアとを含んでいる本体部分１２を含むことができる。例示的なモバイル端末１０は、ユーザが所定のロケーションを選択することを可能にするように適応されたユーザインターフェースをも含むことができる。図２に示すように、ユーザインターフェースは、たとえば、ディスプレイ１６とキーパッド１８とを有する触覚入力インターフェースを含むことができる。代替的に、ディスプレイ１６が、モバイル端末１０の産業界においてより一般的になっているタイプのタッチスクリーン対話型ディスプレイであるとすれば、ユーザインターフェースはディスプレイ１６のみを含むことができる。別の代替では、ユーザインターフェースは、図２に示すマイクロフォン／スピーカー２０によって音声作動され得る。モバイル端末１０はまた、本明細書で言及する一意のロケーション識別子を含む、基地局からのワイヤレス信号を受信するように適応されたアンテナ１４を含むことができる。ユーザインターフェースおよびアンテナ１４は、基地局からのワイヤレス信号中の一意のロケーション識別子を所定のロケーションに関連付け、一意のロケーション識別子を備える基地局からの第２のワイヤレス信号の受信に応答してユーザに警告するように構成された処理ユニット（図示せず）に接続され得る。処理ユニットは、基地局からの信号の信号強度を判断し、信号強度を記憶し、受信された信号の信号強度を記憶された信号強度と比較することができる。
【００１８】
例示的なモバイル端末１０は、処理ユニットに接続された警告システム（図示せず）をさらに含むことができる。警告システムは、振動アラーム、オーディオアラームまたは視覚アラームによって、所定のロケーションにおいてまたはその近くでユーザの存在についてそのユーザに警告するように機能することができる。図２に示すように、例示的なモバイル端末１０は、視覚アラームとして機能することができるディスプレイ１６を含むことができる。その上、例示的なモバイル端末１０は、視覚アラームとしてＬＥＤまたはバッテリーライト２２を利用することができる。同様に、例示的なモバイル端末１０のマイクロフォン／スピーカー２０は、ユーザに警告するためのオーディオアラームとして機能することができる。さらに、例示的なモバイル端末１０は、振動またはサイレントアラームとして、振動機構、モータまたはデバイス（図示せず）を含むことができる。上述の警告システム構成要素の１つまたは複数を各警告イベントのために使用することができ、または代替的に、ユーザによって選択された所定のロケーションの各々のために特定のタイプの警告を構成することができる。たとえば、処理ユニットは、ユーザが、関連付けられた所定のロケーションまたはその近くにいるとき、「ホーム」、「仕事」、「乗り換え」、「左折」など、特定の単語または句を話すかまたは言うようにマイクロフォン／スピーカーを制御することができる。
【００１９】
上記で説明したタイプのユーザインターフェースの例示的なディスプレイ１６の部分を示す図３に、例示的なモバイル端末１０の追加の機能が示されている。ユーザが所定のロケーションを選択するか、トリップを開始するか、またはルートをナビゲートするのを補助する際に、モバイル端末１０の処理ユニットは、ディスプレイ１６に、ユーザのためのオプションのメニューを提示させることができる。ユーザに提示される例示的なオプションは、たとえば、トリップ開始機能３０とトリップ終了機能３２とを含むことができる。トリップ開始機能３０の初期化時に、モバイル端末１０は、本明細書で説明する方法に従って、トリップの開始ロケーションを第１の所定のロケーションとして識別することができる。同様に、トリップ終了機能３２において、モバイル端末１０は、本明細書で説明する方法に従って、トリップの終了ロケーションを第２の所定のロケーションとして識別することができる。繰り返されるトリップの場合、この機能は、ユーザが、毎日の通勤の開始点と終了点とを、たとえば、モバイル端末１０にあらかじめ選択させることを可能にし、モバイル端末１０は、本明細書で説明する方法に従ってユーザにそのユーザのロケーションを通知する。
【００２０】
別の例示的なオプションは、ユーザがそのユーザの過去、現在または将来の（１つまたは複数の）ロケーションに基づいて警告を作成することを可能にする初期ロケーション選択機能３４および最終ロケーション選択機能３６である。追加のオプションは、メニュー機能３８と、モバイル端末１０の機能、すなわち、モバイル端末１０によって使用される警告システムのタイプを調整するためのオプション機能４０と、モバイル端末１０の別の機能に戻るための終了機能４２とを含む。モバイル端末１０はまた、一意に識別された基地局から導出されたモバイル端末１０の知られているロケーションに基づいて、ユーザの近傍の視覚マップを生成するためのソフトウェアと、ハードウェアと、ファームウェアとを含むことができる。
【００２１】
その点について、今回請求する本発明の別の態様は、モバイル端末を使用したユーザナビゲーションの方法を含む。図５に示すように、例示的な方法はステップＳ１１０を含み、ステップＳ１１０は、モバイル端末において、第１の所定のロケーションと第２の所定のロケーションとを備えるナビゲーション要求を開始することを含む。上記のように、モバイル端末は、前の所定のロケーションを記憶することと、それらのロケーションを一意に識別された基地局に関連付けることとを行うように構成され得る。したがって、モバイル端末は、ユーザが起点と終点とを選定し得るロケーションの履歴を有することができる。ステップＳ１１２において、例示的な方法は、モバイル端末において、第１の所定のロケーションに関連付けられた第１の一意のロケーション識別子を備える第１の基地局からの第１の信号を受信することを含み、ステップＳ１１４において、例示的な方法は、モバイル端末において、第２の所定のロケーションに関連付けられた第２の一意のロケーション識別子を備える第２の基地局からの第２の信号を受信することを含む。ステップＳ１１６において、例示的な方法は、モバイル端末における、第１または第２の一意のロケーション識別子のうちの一方の受信に応答して、第１または第２の所定のロケーションのうちの一方におけるモバイル端末の存在についてユーザに警告することを含む。
【００２２】
例示的な動作環境として再び図１を参照すると、ユーザは所定のロケーション１２０から所定のロケーション１３０に行くことを望み得る。そうする際に、ユーザは、通勤電車ジャンクション、停留所などであり得る所定のロケーション１２２と所定のロケーション１２４とを通過することになる。所定のロケーション１２２など、間近に迫った中間地点についてユーザに警告するために、例示的な方法は、モバイル端末において、第３の所定のロケーションに関連付けられた第３の一意のロケーション識別子を備える第３の基地局からの第３の信号を受信するステップをさらに含むことができる。このようにして、ユーザは、所定のロケーション１２２、たとえば通勤電車ジャンクションの存在について警告され、そのユーザの終点である所定のロケーション１３０に到着するために、そのユーザが適切な電車に乗ることを確実にするための適切なステップに従うことになる。
【００２３】
上記のように、第３の所定のロケーションは、第１の所定のロケーションと第２の所定のロケーションとの間のルートに沿った、任意の数の中間地点、交差点、ジャンクション、重要な中間点、停留所などであり得る。例示的な方法は、ルートに沿った所定の中間地点においてまたはその近くでユーザの存在についてそのユーザに警告することによって、ユーザが、バス、電車、車、徒歩または他の手段によって複雑なルートをうまくナビゲートすることを可能にする。本明細書で説明する方法は、第１、第２および第３の所定のロケーションに適しているだけでなく、基地局信号によって一意に識別されることが可能な任意の数の地理的エリアに適していることは、当業者には明らかであろう。当業者が諒解するように、領域中の基地局の密度は、その領域の人口密度にほぼ比例し、したがって、人口密度の高いエリアでは、本明細書で説明する原理は、より費用がかかり複雑な衛星ベースの測位システムにおいて見られるパフォーマンスに匹敵する測位およびナビゲーションパフォーマンスを与えることになる。
【００２４】
本明細書で説明する方法は、適用例に応じて様々な手段によって実装され得る。たとえば、これらの方法は、ハードウェア、ファームウェア、ソフトウェア、またはそれらの組合せで実装され得る。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せの中で実装され得る。
【００２５】
ファームウェアおよび／またはソフトウェア実装の場合、本方法は、本明細書で説明する機能を実行するモジュール（たとえば、手順、機能など）を用いて実装され得る。命令を有形に実施するいずれの機械可読媒体も、本明細書で説明する方法の実装において使用され得る。たとえば、ソフトウェアコードは、メモリ、たとえばモバイル端末１０のメモリに記憶され、モバイル端末１０に関して上記で説明した処理ユニットによって実行され得る。メモリは、処理ユニットの内部および／または処理ユニットの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。別段に明記されていない限り、上記の説明から明らかなように、本明細書全体にわたって、流れ図などに関係する方法はまた、たとえば、上記で詳細に説明した（１つまたは複数の）モバイル端末および／または（１つまたは複数の）基地局を含むコンピューティングプラットフォームによって全体的にまたは部分的に実行および／または制御され得ることを諒解されたい。
【００２６】
ファームウェアおよび／またはソフトウェアで実装する場合、機能は、１つまたは複数の命令またはコードとしてコンピュータ可読媒体上に記憶され得る。例としては、データ構造で符号化されたコンピュータ可読媒体、およびコンピュータプログラムで符号化されたコンピュータ可読媒体がある。コンピュータ可読媒体は物理的コンピュータ記憶媒体を含む。記憶媒体は、コンピュータによってアクセスできる任意の利用可能な媒体であり得る。限定ではなく、例として、そのようなコンピュータ可読媒体は、ＲＡＭ、ＲＯＭ、ＥＥＰＲＯＭ、ＣＤ−ＲＯＭまたは他の光ディスク（disk）ストレージ、磁気ディスク（disk）ストレージ、または他の磁気記憶デバイス、あるいは命令またはデータ構造の形態で所望のプログラムコードを記憶するために使用でき、コンピュータによってアクセスできる任意の他の媒体を備えることができ、本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【００２７】
コンピュータ可読媒体上での記憶に加えて、命令および／またはデータを通信装置中に含まれる伝送媒体上の信号として与え得る。たとえば、通信装置は、命令とデータとを示す信号を有するトランシーバを含み得る。命令およびデータは、１つまたは複数の処理ユニットに、特許請求の範囲で概説する機能を実装させるように構成される。すなわち、通信装置は、開示した機能を実行するための情報を示す信号をもつ伝送媒体を含む。初めに、通信装置中に含まれる伝送媒体は、開示した機能を実行するための情報の第１の部分を含み得、次に、通信装置中に含まれる伝送媒体は、開示した機能を実行するための情報の第２の部分を含み得る。
【００２８】
上記の説明は、今回請求する本発明のシステムおよび方法の選択された態様および好適な例に関する。これらの説明は本質的に例示的なものであり、今回請求する本発明の完全な範囲および趣旨は以下の特許請求の範囲に関して定義されることが、当業者には理解されよう。
【図１】
2013253984.tif 000003
【図２】
2013253984.tif 000004
【図３】
2013253984.tif 000005
【図４】
2013253984.tif 000006
【図５】
2013253984.tif 000007
【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
選択されたロケーションにユーザが存在することを前記ユーザに警告するための方法であって、
モバイル端末において、前記ユーザの現在の地理的ロケーションに対応する初期ロケーションを示すユーザ入力を受信するステップと、
前記モバイル端末において、一意の識別子を備える基地局からの信号を受信するステップと、
前記信号に関する信号強度値を測定するステップと、
前記初期ロケーションに関連付けられた前記信号強度値および前記一意の識別子をデータ構造に記憶するステップと、
前記モバイル端末において、その後に前記一意の識別子を備える前記基地局からの前記信号を受信するステップと、
前記基地局から後続で受信された前記信号中の前記一意の識別子および信号強度値が前記初期ロケーションに関連付けられたものである、と決定するステップと、
そうであるとの決定に応答して、前記ユーザに警告するステップと
を備える方法。
【請求項２】
前記データ構造が複数のロケーション、および対応する一意の識別子ならびに信号強度値を含むロケーションの履歴を備える、請求項１に記載の方法。
【請求項３】
トリップ機能を備え、起点および終点が、前記データ構造から選択される、請求項２に記載の方法。
【請求項４】
前記ユーザに警告するステップが、前記モバイル端末に聴覚アラームを実行させること、前記モバイル端末に視覚アラームを実行させること、または前記モバイル端末に触覚アラームを実行させることのうちの１つを備える、請求項１に記載の方法。
【請求項５】
選択されたロケーションにユーザが存在することを前記ユーザに警告するための装置であって、
モバイル端末において、前記ユーザの現在の地理的ロケーションに対応する初期ロケーションを示すユーザ入力を受信するための手段と、
前記モバイル端末において、一意の識別子を備える基地局からの信号を受信するための手段と、
前記信号に関する信号強度値を測定するための手段と、
前記初期ロケーションに関連付けられた前記信号強度値および前記一意の識別子をデータ構造に記憶するための手段と、
前記モバイル端末において、その後に前記一意の識別子を備える前記基地局からの前記信号を受信するための手段と、
後続で受信された前記一意の識別子および信号強度値が前記初期ロケーションに関連付けられたものである、と決定するための手段と、
そうであるとの決定に応答して、前記ユーザに警告するための手段と
を備える装置。
【請求項６】
前記データ構造が複数のロケーション、および対応する一意の識別子ならびに信号強度値を含むロケーションの履歴を備える、請求項５に記載の装置。
【請求項７】
トリップ機能を備え、起点および終点が、前記データ構造から選択される、請求項６に記載の装置。
【請求項８】
前記ユーザに警告するための手段が、聴覚アラーム、視覚アラーム、または触覚アラームのうちの１つを備える、請求項５に記載の装置。
【請求項９】
選択されたロケーションにユーザが存在することを前記ユーザに警告するためのモバイル端末であって、
前記ユーザに前記ユーザの現在の地理的ロケーションに対応する初期ロケーションを選択することを可能にさせるように適応されたユーザインターフェースと、
一意の識別子を備える基地局からのワイヤレス信号を受信するように適応されたアンテナと、
前記ユーザインターフェースと前記アンテナとに接続された処理ユニットであって、前記信号に関する信号強度値を測定することと、前記初期ロケーションに関連付けられた前記信号強度値および前記一意の識別子をデータ構造に記憶することと、前記基地局から後続で受信されたワイヤレス信号中の前記一意の識別子および前記信号強度値が前記初期ロケーションに関連付けられたものかどうかを判定することと、そうであるとの決定に応答してユーザに警告することとを行うように構成された処理ユニットと
を備えるモバイル端末。
【請求項１０】
前記ユーザインターフェースが、触覚入力インターフェースまたは音声作動インターフェースのうちの一方を備える、請求項９に記載のモバイル端末。
【請求項１１】
前記処理ユニットに接続された警告システムであって、振動アラーム、オーディオアラーム、または視覚アラームによってユーザに警告するように適応された警告システムをさらに備える、請求項９に記載のモバイル端末。
【請求項１２】
選択されたロケーションにユーザが存在するとの前記ユーザへの警告を実装するようにハードウェアコンピュータ実行可能である命令で符号化されたコンピュータ可読媒体であって、前記命令が、
処理ユニットに、前記ユーザの現在の地理的ロケーションに対応する初期ロケーションを示すユーザ入力を受信させるためのコードと、
前記処理ユニットに、一意の識別子を備える基地局からのワイヤレス信号を受信させるためのコードと、
前記処理ユニットに、前記信号に関する信号強度値を測定させるためのコードと、
前記処理ユニットに、前記初期ロケーションに関連付けられた前記信号強度値および前記一意の識別子をデータ構造に記憶させるためのコードと、
前記処理ユニットに、前記基地局から後続で受信されたワイヤレス信号中の前記一意の識別子および前記信号強度値が前記初期ロケーションに関連付けられたものかどうかを判定させるためのコードと、
前記処理ユニットに、そうであるとの決定に応答して、前記ユーザに警告させるためのコードと
を備える、コンピュータ可読媒体。
【請求項１３】
前記データ構造が複数のロケーション、および対応する一意の識別子ならびに信号強度値を含むロケーションの履歴を備える、請求項１２に記載のコンピュータ可読媒体。
【請求項１４】
前記プロセッサにトリップ機能を実行させるためのコードをさらに備え、起点および終点が、前記データ構造から選択される、請求項１３に記載のコンピュータ可読媒体。
【請求項１５】
前記処理ユニットに、聴覚アラーム、視覚アラーム、または触覚アラームを作動させるためのコードをさらに備える、請求項１２に記載のコンピュータ可読媒体。
【手続補正２】
【補正対象書類名】明細書
【補正対象項目名】００２８
【補正方法】変更
【補正の内容】
【００２８】
上記の説明は、今回請求する本発明のシステムおよび方法の選択された態様および好適な例に関する。これらの説明は本質的に例示的なものであり、今回請求する本発明の完全な範囲および趣旨は以下の特許請求の範囲に関して定義されることが、当業者には理解されよう。
以下に、本願出願の当初の特許請求の範囲に記載された発明を付記する。
［Ｃ１］
選択されたロケーションにおいてユーザの存在について前記ユーザに警告するための方法であって、
モバイル端末において所定のロケーションの選択を受信するステップと、
前記モバイル端末において、一意のロケーション識別子を備える基地局からの信号を受信するステップと、
前記一意のロケーション識別子を備える前記基地局からの前記信号の後続の受信についてユーザに警告するステップと
を備える方法。
［Ｃ２］
所定のロケーションの前記選択がユーザ入力に応答して行われる、Ｃ１に記載の方法。
［Ｃ３］
所定のロケーションの前記選択が、起点と終点とを備えるトリップ機能を備え、さらに、前記所定のロケーションが起点または終点のうちの一方を備える、Ｃ１に記載の方法。
［Ｃ４］
前記起点が、前記基地局と第２の基地局とのうちの一方に関連付けられ、前記終点が、前記基地局と前記第２の基地局とのうちの他方に関連付けられる、Ｃ３に記載の方法。
［Ｃ５］
前記ユーザに警告する前記ステップが、前記モバイル端末に聴覚アラームを実行させること、前記モバイル端末に視覚アラームを実行させること、または前記モバイル端末に触覚アラームを実行させることのうちの１つを備える、Ｃ１に記載の方法。
［Ｃ６］
選択されたロケーションにおいてユーザの存在について前記ユーザに警告するための装置であって、
モバイル端末において所定のロケーションの選択を受信するための手段と、
前記モバイル端末において、一意のロケーション識別子を備える基地局からの信号を受信するための手段と、
前記一意のロケーション識別子を備える前記基地局からの前記信号の後続の受信についてユーザに警告するための手段と
を備える装置。
［Ｃ７］
所定のロケーションの前記選択がユーザ入力に応答して行われる、Ｃ６に記載の装置。
［Ｃ８］
所定のロケーションの前記選択が、起点と終点とを備えるトリップ機能を備え、さらに、前記所定のロケーションが起点または終点のうちの一方を備える、Ｃ６に記載の装置。
［Ｃ９］
前記起点が、前記基地局と第２の基地局とのうちの一方に関連付けられ、前記終点が、前記基地局と前記第２の基地局とのうちの他方に関連付けられる、Ｃ８に記載の装置。
［Ｃ１０］
前記ユーザに警告するための前記手段が、聴覚アラーム、視覚アラームまたは触覚アラームのうちの１つを備える、Ｃ６に記載の装置。
［Ｃ１１］
選択されたロケーションにおいてユーザの存在について前記ユーザに警告するためのモバイル端末であって、
前記ユーザが所定のロケーションを選択することを可能にするように適応されたユーザインターフェースと、
一意のロケーション識別子を備える基地局からのワイヤレス信号を受信するように適応されたアンテナと、
前記ユーザインターフェースと前記アンテナとに接続された処理ユニットであって、前記基地局からの前記ワイヤレス信号中の前記一意のロケーション識別子を前記所定のロケーションに関連付けることと、前記一意のロケーション識別子を備える前記基地局からの前記ワイヤレス信号の後続の受信に応答してユーザに警告することとを行うように構成された処理ユニットと
を備えるモバイル端末。
［Ｃ１２］
前記ユーザインターフェースが、触覚入力インターフェースまたは音声作動インターフェースのうちの一方を備える、Ｃ１１に記載のモバイル端末。
［Ｃ１３］
前記処理ユニットに接続された警告システムであって、振動アラーム、オーディオアラームまたは視覚アラームによってユーザに警告するように適応された警告システムをさらに備える、Ｃ１１に記載のモバイル端末。
［Ｃ１４］
選択されたロケーションにおけるユーザの存在についての前記ユーザへの警告を実装するようにハードウェアコンピュータ実行可能である命令で符号化されたコンピュータ可読媒体であって、前記命令が、
処理ユニットに所定のロケーションの選択を受信させるためのコードと、
前記処理ユニットに、一意のロケーション識別子を備える基地局からのワイヤレス信号を受信させるためのコードと、
前記処理ユニットに、前記基地局からの前記ワイヤレス信号中の前記一意のロケーション識別子を前記所定のロケーションに関連付けることと、前記一意のロケーション識別子を備える前記基地局からの前記ワイヤレス信号の後続の受信に応答してユーザに警告することとを行わせるためのコードと
を備える、コンピュータ可読媒体。
［Ｃ１５］
前記処理ユニットに、ユーザ入力に応答して前記所定のロケーションを選択させるためのコードをさらに備える、Ｃ１４に記載のコンピュータ可読媒体。
［Ｃ１６］
前記処理ユニットに所定のロケーションの選択を受信させるための前記コードが、起点と終点とを備えるトリップ機能を備え、さらに、前記所定のロケーションが起点または終点のうちの一方を備える、Ｃ１４に記載のコンピュータ可読媒体。
［Ｃ１７］
前記起点が、前記基地局と第２の基地局とのうちの一方に関連付けられ、前記終点が、前記基地局と前記第２の基地局とのうちの他方に関連付けられる、Ｃ１６に記載のコンピュータ可読媒体。
［Ｃ１８］
前記処理ユニットに、聴覚アラーム、視覚アラーム、または触覚アラームを作動させるためのコードをさらに備える、Ｃ１４に記載のコンピュータ可読媒体。
［Ｃ１９］
モバイル端末を使用したユーザナビゲーションの方法であって、
モバイル端末において、第１の所定のロケーションと第２の所定のロケーションとを備えるナビゲーション要求を開始するステップと、
前記モバイル端末において、前記第１の所定のロケーションに関連付けられた第１の一意のロケーション識別子を備える第１の基地局からの第１の信号を受信するステップと、
前記モバイル端末において、前記第２の所定のロケーションに関連付けられた第２の一意のロケーション識別子を備える第２の基地局からの第２の信号を受信するステップと、
前記モバイル端末における、前記第１または第２の一意のロケーション識別子のうちの一方の受信に応答して、前記第１または第２の所定のロケーションのうちの一方における前記モバイル端末の前記存在についてユーザに警告するステップと
を備える方法。
［Ｃ２０］
前記モバイル端末において、第３の所定のロケーションに関連付けられた第３の一意のロケーション識別子を備える第３の基地局からの第３の信号を受信するステップをさらに備える、Ｃ１９に記載の方法。
［Ｃ２１］
前記第３の所定のロケーションが、前記ユーザによって選択されたルートに沿っている、Ｃ２０に記載の方法。
［Ｃ２２］
前記第３の所定のロケーションが、前記第１の所定のロケーションと前記第２の所定のロケーションとの間に配設される、Ｃ２１に記載の方法。
［Ｃ２３］
前記モバイル端末における、前記第３の一意のロケーション識別子の受信に応答して、前記第３の所定のロケーションにおける前記モバイル端末の前記存在についてユーザに警告するステップをさらに備える、Ｃ２２に記載の方法。
【外国語明細書】
2013253984000001.pdf